(57)【特許請求の範囲】
【請求項１】
ロウソクに火を点けて墓前に供えるための燈明台であって、外部から内部を看取可能にする開口窓を持つ有底型の筒体と、
この筒体内の底部材中央に設置されたロウソク立てと、
前記筒体の上端開口を被うように水平回動可能に設置された天蓋と、
この天蓋に支持されて、前記筒体の内周側に垂下され、前記開口窓に対応する部位に耐熱性の透明板が取り付けられた枠部材と、
前記筒体上端のリング溝に嵌挿され、かつ前記天蓋と筒体上端との間に介在されて該筒体の内外に貫通する通気切欠を有するリング部材と、を備え、
前記ロウソク立てが、前記底部材および前記枠部材下端に連設された底板のそれぞれに形成された取付孔に嵌挿されるようにして前記底部材に設置され、
前記ロウソク立てには、上端開口部の内周に突設されてロウソクを略垂直に支持する弾性支持部材が設けられていることを特徴とする燈明台。
【請求項２】
ロウソクに火を点けて墓前に供えるための燈明台であって、外部から内部を看取可能にする開口窓を持つ有底型の筒体と、
この筒体内の底部材中央に設置され、前記開口窓を通じてロウソクを立てることができるロウソク立てと、
前記筒体の上端開口を被うように水平回動可能に設置された天蓋と、
この天蓋に支持されて、前記筒体の外周側に垂下され、前記開口窓に対応する部位に耐熱性の透明板が取り付けられた枠部材と、を備え、
前記筒体の上部にはこの筒体内の換気を行う通気孔が設けられ、前記透明板には、筒体に設けられた前記通気孔に連通可能な通気孔が設けられていることを特徴とする燈明台。
【発明の詳細な説明】
【技術分野】
【０００１】
本発明は、墓石の前部に設置されて、ロウソクに火を点けて墓前に供えるための燈明台に関する。
【背景技術】
【０００２】
周知のように、墓所に建立される墓石の前部には、花を供える花立てとともに燈明を供える燈明台が設置される。この燈明台の形態は、地方ごとの慣習によって異なるものの、一般には墓石の前部中央の、供物台の両隣に設置される。
また、この一般的な燈明台は、燈明の設置部に扉などの防風、防雨手段を持たず、常時外部に晒される構造である。
【０００３】
ところが、このように防風、防雨手段を持たない燈明台にあっては、比較的弱い風が吹いている時にも、内部に備えた燈明（ロウソク）の火が吹き消されてしまうという不都合があった。また、雨が降った場合には、内部が雨により水浸しになり、内部に積もった土埃が汚泥化するという不都合があった。
従って、このような風雨の条件下での法事では、ロウソクが吹き消されたまま、線香に火を点じるのみにて、読経を行っている。
【０００４】
一方、前記のような風による燈明の吹き消しを防止するために、線香立ておよびロウソク立てを持つ基台と本体とからなり、本体を、三方の周側板と、この周側板の前面の一部を透明板として、蝶番で繋いだ前面扉と、背面側周側板の上縁に蝶番で繋いだ上蓋と、から構成した金属板製の燈明台が提案されている（例えば、特許文献１参照）。
【特許文献１】実公平４−３０２９２号公報
【発明の開示】
【発明が解決しようとする課題】
【０００５】
しかしながら、前記金属板製の燈明台にあっては、前面扉を開いて内部に供えたロウソクの火が、前面扉を閉じることによって外風に晒されないため、消えることはないものの、金属板自体が赤熱まではいかないにしても、ロウソクの燃焼熱により相当の高温に熱せられ、これに身体の一部が触れると火傷を負うという問題があった。また、燈明台の中は狭く、内部のロウソク立てに立てたロウソクに点火する作業が極めて面倒であった。更に、この金属板製の燈明台は、仏具に相応しい重量感や荘重感が得られず、仏具として外観上墓石に馴染まないという問題があった。
【０００６】
本発明は、このような従来の問題点に着目してなされたものであり、風雨の影響を小さく抑えて、燈明であるロウソクの点灯状態を安定的に維持できるとともに、ロウソク立てに立てた状態のロウソクに対し迅速、簡単に点火することができ、さらに仏具としての重量感と荘重感が得られる燈明台を得ることを目的とする。
【課題を解決するための手段】
【０００７】
前記目的達成のために、本発明にかかる燈明台は、ロウソクに火を点けて墓前に供えるための燈明台であって、外部から内部を看取可能にする開口窓を持つ有底型の筒体と、
この筒体内の底部材中央に設置されたロウソク立てと、
前記筒体の上端開口を被うように水平回動可能に設置された天蓋と、
この天蓋に支持されて、前記筒体の内周側に垂下され、前記開口窓に対応する部位に耐熱性の透明板が取り付けられた枠部材と、
前記筒体上端のリング溝に嵌挿され、かつ前記天蓋と筒体上端との間に介在されて該筒体の内外に貫通する通気切欠を有するリング部材と、を備え、
前記ロウソク立てが、前記底部材および前記枠部材下端に連設された底板のそれぞれに形成された取付孔に嵌挿されるようにして前記底部材に設置され、
前記ロウソク立てには、上端開口部の内周に突設されてロウソクを略垂直に支持する弾性支持部材が設けられていることを特徴とする。
【０００８】
この構成により、筒体の外から内部で点灯中のロウソクを看取できるとともに、天蓋を回動操作することにより、開口窓を開いてロウソク立てに対するロウソクの点灯や交換を容易に実施することができる。また、必要に応じ、天蓋とともに枠部材を上方へ持ち上げて筒体の外へ取り出すことにより、前記ロウソク立てに対するロウソクの装着、交換および点火などを、前記筒体の外で速やかに実施することができる。
また、前記ロウソク立てが、前記枠部材下端に連設された底板に支持されるようにして前記底部に設置されるので、天蓋を持ち上げるだけで、底部に設置されたロウソク立てを、天蓋とともに筒体の外に速やかに取り出すことができる。
また、前記天蓋と筒体上端との間に、筒体の内外に貫通する通気切欠を有するリング部材が介在されているので、リング部材の通気切欠を通じて筒体内に外気を供給することができ、酸欠状態でロウソクの火が消えることを未然に回避することができる。
さらに、前記ロウソク立てに、ロウソクを略垂直に支持する弾性支持部材が設けられているので、強い風が吹き込んだり、指が触れたりしてロウソクが傾いても、直ちに、これを垂直状態に安定支持することができる。
【０００９】
また、本発明のかかる燈明台は、ロウソクに火を点けて墓前に供えるための燈明台であって、外部から内部を看取可能にする開口窓を持つ有底型の筒体と、
この筒体内の底部材中央に設置され、前記開口窓を通じてロウソクを立てることができるロウソク立てと、
前記筒体の上端開口を被うように水平回動可能に設置された天蓋と、
この天蓋に支持されて、前記筒体の外周側に垂下され、前記開口窓に対応する部位に耐熱性の透明板が取り付けられた枠部材と、を備え、
前記筒体の上部にはこの筒体内の換気を行う通気孔が設けられ、前記透明板には、筒体に設けられた前記通気孔に連通可能な通気孔が設けられ、前記ロウソク立てには、ロウソクを略垂直に支持する弾性支持部材が設けられていることを特徴とする。
【００１０】
この構成により、筒体の外から内部で点灯中のロウソクを看取できるとともに、天蓋を回動操作することにより、開口窓を開いてロウソク立てに対するロウソクの点灯や交換を容易に実施することができる。また、必要に応じ、天蓋とともに枠部材を上方へ持ち上げて筒体の外へ取り出すことにより、前記ロウソク立てに対するロウソクの装着、交換および点火などを、前記筒体の外で速やかに実施することができる。
また、筒体の上部には、この筒体内の換気を行う通気孔が設けられ、透明板には、筒体に設けられた前記通気孔に連通可能な通気孔が設けられているので、筒体内をその通気孔を通じて換気することができ、ロウソクが酸欠で消えることを未然に回避することができる。
さらに、前記ロウソク立てに、ロウソクを略垂直に支持する弾性支持部材が設けられているので、強い風が吹き込んだり、指が触れたりしてロウソクが傾いても、直ちに、これを垂直状態に安定支持することができる。
【発明の効果】
【００１１】
本発明の燈明台は、開口窓を持つ筒体内の底部材中央にロウソク立てを設置し、前記筒体の上端開口を被うように天蓋を水平回動可能に設置し、この天蓋に支持され、前記筒体の内周側または外周側に垂下される連結片を持った枠部材に、耐熱性の透明板を取り付けたことにより、筒体の外から内部で点灯中のロウソクを看取できるとともに、ロウソクの火が風を受けるなどして消えないようにすることができる。また、天蓋を回動操作することにより透明板を移動させ、開口窓を開いてロウソク立てに対するロウソクの点灯や交換を容易に実施することができるという効果が得られる。
【発明を実施するための最良の形態】
【００１２】
以下に、本発明の一実施形態による燈明台を、図面を参照しながら説明する。
図１は、本発明の燈明台１１を供えた墓石を示す斜視図、図２は、この燈明台１１の斜視図、図３は、この燈明台１１の縦断面図、図４は、この燈明台１１の分解斜視図、図５は、この燈明台１１の平断面図である。
【００１３】
図１では、燈明台１１が、墓石１２の前部に、左右対称に一基づつ配置されている。詳しくは、墓石１２を載置する基台１３上に、線香立てを収納したり、供物を上面に載置したりする供物台１４が設置されており、この供物台１４の左右に前記燈明台１１が一基づつ設置されている。
【００１４】
この燈明台１１は、墓石１２と同質の石材からなり、有底の筒体（円筒体）１５と、この筒体１５内の下部に一体に取り付けられた底部材１６（図３参照）と、その筒体１５の上部開口端に設置された天蓋１７とを備えている。これらのうち、筒体１５は、前部に筒体１５内を外から看取するための開口窓１８、つまり筒体１５内の燈明を外へ洩らすための開口窓１８が形成されている。この開口窓１８の形状、サイズは任意に選定できる。
【００１５】
また、この筒体１５内の下部には円板状の前記底部材１６が嵌め込まれるようにして固定され、この底部材１６およびこの底部材１６上に載置される底板１９の中心部には、取付孔１６ａ、１９ａ（図３、図４参照）が設けられている。これらの取付孔１６ａ、１９ａにはフランジ２０ａを持つ金属製のロウソク立て２０が嵌挿されている。なお、ロウソク立て２０の上端開口部の内周には、ロウソク２１を略垂直に支持する耐熱性、難燃性の弾性支持部材２２が突設されている。
【００１６】
一方、天蓋１７は、前記筒体１５の上部開口を被う所定サイズおよびデザインをなし、下面の中心部に取付孔１７ａ（図３、図４参照）が穿設されている。また、前記筒体１５内には枠部材２３が収納されている。この枠部材２３は、金属板の板金加工や溶接によって作られており、図４にも示すように、円板状の天板２４と、この天板２４の下面に突設されたリング部２５と、このリング部２５の下方に連接された２本の連結片２６と、これらの連結片２６の下端に連結された前記底板１９と、から構成されている。
【００１７】
前記筒体１５の上端にはリング溝１５ａ（図４参照）が形成されており、このリング溝１５ａに、筒体１５の内外に貫通する通気部としての通気切欠２８ａを持つリング部材２８が嵌挿されている。このリング部材２８上には、図３に示すように、枠部材２３の天板２４の周辺部が支持されている。
【００１８】
また、前記枠部材２３における前記リング部２５および連結片２６の外周面と底板１９の外周縁には、図４または図５に示すように、一枚の円弧状の透明板２９が接着剤等により固着されている。この透明板２９は耐熱性の樹脂やガラスなどからなる。
【００１９】
本実施形態による燈明台１１は、前記のように構成されており、天蓋１７の取付孔１７ａに枠部材２３の突子２７が嵌まり込んでいる。このため、天蓋１７を水平方向に回動操作することによって、枠部材２３も筒体１５内で回動する。
【００２０】
この回動により透明板２９が前記開口窓１８に対向した場合には、ロウソク立て２０に立てられたロウソク２１を、透明板２９を通して外部から透視できるとともに、外部から筒体１５内に風が吹き込んだり、雨が侵入したりするのを防止できる。
【００２１】
一方、前記回動により、透明板２９が設けられない２本の連結片２６、２６間が前記開口窓１８に対向した場合には、この開口窓１８を通して、ロウソク立て２０にロウソク２１を立てて点火することができるとともに、必要に応じロウソクの交換を行うことができる。
【００２２】
なお、透明板２９により開口窓１８が塞がれるような状態にあっても、筒体１５内はリング部材２８の通気切欠２８ａを通じて換気が行われるため、ロウソク２１の火が酸欠によって消えるようなことはない。
【００２３】
また、ロウソク２１の下端はロウソク立て２０内にあって、周辺の弾性支持部材２２により倒れないように保持されており、このため、ロウソク２１は常に垂直に起立し、安定した点灯状態が維持されることとなる。
【００２４】
さらに、前記枠部材２３を構成する底板１９がロウソク立て２０のフランジ２０ａを、図３に示すように支える構造となっている。このため、天蓋１７を手で摘んで持ち上げると、枠部材２３は筒体１５から分離して上昇し、ロウソク立て２０を筒体１５の外へ取り出すことができる。
【００２５】
この場合には、狭小空間の筒体１５内ではなく、たとえば風雨の影響を受け難い外部の所定箇所でロウソク２１に点火した上で、再び筒体１５内へ戻すようにすることができる。この結果、ロウソク２１の点火が確実となる。
【００２６】
図６および図７は、本発明の他の実施形態による燈明台を示す縦断面図および平断面図である。この実施形態の燈明台１１Ａが、前記燈明台１１と大きく異なるところは、天蓋  １７Ａによって回転操作される枠部材２３の連結片２６を、筒体１５Ａの外周側に配置した点と、筒体１５Ａおよび透明板２９に、筒体１５Ａ内の換気を行う通気孔１５ｂ、２９ａをそれぞれ設けた点である。
【００２７】
このため、枠部材２３の天板２４には２本の連結片２６が一体に垂下連接され、これらの連結片２６、２６間に透明板２９が前記同様にして取り付けられている。また、筒体１５Ａの上端開口を塞ぐように、金属製の蓋板３１がはめ込まれており、この蓋板３１の中心部に設けられた軸支持孔３２に、天板２４の上下に突設された突子２７ａ、２７ｂのうち、下部の突子２７ｂが回動自在に挿入されている。なお、この突子２７ｂと軸支持孔３２との間に軸受を介在することは任意である。
【００２８】
前記筒体１５Ａの底部にはロウソク立て設置部３３が形成されており、このロウソク立て設置部３３内に、金属製の周知形状のロウソク立て３４が収納されている。また、天蓋１７Ａの頂部には、これを回動操作するための摘み３０が突設されている。
【００２９】
この実施の形態による燈明台１１Ａでは、摘み３０を回動操作することによって、天蓋１７Ａとともに天板２４が突子２７ａ、２７ｂを中心として蓋板３１上で回動する。この回動により、透明板２９を筒体１５Ａの開口窓１８に対向させることができ、筒体１５Ａ内のロウソク２１の灯火が外部から看取可能となる。
【００３０】
このとき、筒体１５Ａに形成された通気孔１５ｂと透明板２９に形成された通気孔２９ａとを連通させることで、これらの通気孔１５ｂ、１９ａを通じて外気を筒体１５Ａ内に導入することができる。これにより、筒体１５Ａ内には常時酸素を供給でき、ロウソク２１の火が酸欠で消えるという不都合を回避できる。
【００３１】
また、摘み３０を回動操作して、透明板２９が設けられない側の各連結片２６、２６間を前記開口窓１８に臨ませた場合には、開口しこの連結片２６、２６間および前記開口窓１８を通して、ロウソク立て３４へのロウソク２１の装着や交換を容易に実施することができる。
【００３２】
このように、本実施の形態によれば、外部から内部を看取可能にする開口窓１８を持つ有底型の筒体１５、１５Ａと、この筒体１５、１５Ａ内の底部中央に設置されたロウソク立て２０、３４と、前記筒体１５、１５Ａの上端開口を被うように水平回動可能に設置された天蓋１７、１７Ａと、この天蓋１７、１７Ａに支持されて、前記筒体１５、１５Ａの内周側または外周側に垂下され、前記開口窓１８に対応する部位に耐熱性の透明板２９が取り付けられた枠部材２３と、を備えることにより、筒体１５、１５Ａの外から内部で点灯中のロウソク２１を看取できるとともに、天蓋１７、１７Ａを回動操作して開口窓１８を開くことにより、ロウソク立て２０、３４に対するロウソク２１の点灯や交換を容易に実施することができる。
【００３３】
また、必要に応じ、天蓋１７とともに枠部材２３を上方へ持ち上げることで、筒体１５の外へ取り出すことにより、前記ロウソク立て２０に対するロウソク２１の装着、交換および点火などの作業を、簡単に実施することができる。
さらに、燈明台は石材を中心として構成されるために、外観的に重量感、荘重感が得られ、仏具としての利用に最適となる。
【産業上の利用可能性】
【００３４】
以上のように、本発明にかかる燈明台は、筒体の外から、内部で点灯中のロウソクを看取できるとともに、天蓋を回動操作することにより、開口窓を開いてロウソク立てに対するロウソクの点灯や交換を容易に実施することができる。また、必要に応じ、天蓋とともに枠部材を上方へ持ち上げて筒体の外へ取り出すことにより、前記ロウソク立てに対するロウソクの装着、交換および点火などを、前記筒体の外で簡単、速やかに実施することができるという効果を有し、墓石の前部に設置されて、ロウソクに火を点けて墓前に供えるための燈明台等として有用である。
【図面の簡単な説明】
【００３５】
【図１】本発明の実施形態による燈明台を持った墓石を示す斜視図である。
【図２】図１に示す燈明台の斜視図である。
【図３】図２に示す燈明台の縦断面図である。
【図４】図２に示す燈明台の分解斜視図である。
【図５】図２に示す燈明台の平断面図である。
【図６】本発明の他の実施形態による燈明台を示す縦断面図である。
【図７】図６に示す燈明台の平断面図である。
【符号の説明】
【００３６】
１１、１１Ａ  燈明台
１２  墓石
１３  基台
１５、１５Ａ  筒体
１６  底部材
１７、１７Ａ  天蓋
１８  開口窓
１９  底板
２０、３４  ロウソク立て
２１  ロウソク
２２  ロウソク支持部材
２３  枠部材
２６  連結片
２８  リング部材
２８ａ  通気切欠（通気部）
２９  透明板
３０  摘み
【図１】
0005286550.tif 000002
【図２】
0005286550.tif 000003
【図３】
0005286550.tif 000004
【図４】
0005286550.tif 000005
【図５】
0005286550.tif 000006
【図６】
0005286550.tif 000007
【図７】
0005286550.tif 000008